(57)【要約】【課題】従来においては印字内容表示画面と日付時刻設定画面はそれぞれ別画面にて行っていた。これは、日付時刻設定が一度設定すれば、後は時計の誤差に対する微調整程度しか行われないため、印字内容表示画面と日付時刻設定画面を同一画面に収める必要性はないと考えたためである。【解決手段】本発明では印字内容表示画面と日付時刻設定画面を同一画面に収め、日付時刻を設定すると、即座に印字内容イメージ表示に反映されるようにする。これにより、置き換え規則の妥当性の確認が容易できるようになり、置き換え規則の誤設定による誤印字の発生が低減できる。【選択図】図１
2007313810.tif 000002
【特許請求の範囲】
【請求項１】
被印字物に印字内容を印字するインクを噴出するノズルが備わるインクジェット記録装置において、インクジェット記録装置は表示装置を有し、表示装置にて印字内容をイメージ表示できる機能を有し、また前記インクジェット記録装置は時計機能を有し、時計機能の日時をオペレータが任意に設定できる機能を有し、また前記時計機能の日時を基に印字内容を作成する機能を有するものにおいて、前記印字内容のイメージ表示機能と前記時計機能の日時設定機能を同一の画面にて表示することを特徴とするインクジェット記録装置。
【請求項２】
請求項１に記載したものにおいて、時計機能の日時を基に印字内容を作成する際、日時の値を基に文字、記号に置き換える機能を有することを特徴とするインクジェット記録装置。
【請求項３】
請求項１、２に記載したものにおいて、印字内容イメージ画面と同一画面に存在する日時設定機能について、前記日時設定機能おいて設定した日時は印字内容に反映しないことを特徴とするインクジェット記録装置。
【発明の詳細な説明】
【技術分野】
【０００１】
本発明は、生産ラインで搬送される製品（被印字物）にノズルより噴出するインクで、文字、数字、記号、図形、バーコード等を印字するインクジェット記録装置に関する。
【背景技術】
【０００２】
従来のインクジェット記録装置において、印字内容を表示する機能を有するもの、時計機能を有するもの、日時を基に印字内容を作成できるもの、オペレータが任意の日時を設定できるものは存在するが、これらの機能を同一の画面で表示するものはない。
【０００３】
【特許文献１】特開平１０−８６９２１号公報
【発明の開示】
【発明が解決しようとする課題】
【０００４】
日時を基に英字、記号等に置き換えをする場合、印字内容の妥当性を即座に判断することは難しい。そのため、置き換え規則を誤って設定してしまった場合、その日時にならないと表示、印字されないため、事前に誤りに気づくことは難しい。インクジェット記録装置を産業用途に用いる場合、高い信頼性が必要となる。このため、容易に置き換え規則の妥当性を確認できる手段が必要となる。
【０００５】
本発明の目的は、将来の日時における印字内容の確認を簡単行えるようにすることで置き換え規則の誤定義を低減し、誤印字の低減を図るものである。
【課題を解決するための手段】
【０００６】
従来においては印字内容表示画面と日付時刻設定画面はそれぞれ別画面にて行っていた。これは、日付時刻設定が一度設定すれば、後は時計の誤差に対する微調整程度しか行われないため、印字内容表示画面と日付時刻設定画面を同一画面に収める必要性はないと考えたためである。これを、同一画面に収め、日付時刻を設定できるようにする。
【発明の効果】
【０００７】
印字内容表示画面と日付時刻設定画面を同一画面に収め、日付時刻を設定すると、即座に印字内容イメージ表示に反映されるようにする。これにより、置き換え規則の妥当性の確認が容易できるようになり、置き換え規則の誤設定による誤印字の発生が低減できる。
【発明を実施するための最良の形態】
【０００８】
以下、本発明の実施形態を示す図面に沿って本発明を詳しく説明する。
【０００９】
図１は、本発明の実施形態に係るインクジェット記録装置の全体ブロック図である。図２は、本発明の実施形態に係るインクジェット記録装置の主要部を概略的に示す図である。
【００１０】
まず、インクジェット記録装置の主要部に係る説明からする。ノズル１にてインクを粒子化するための励振電圧を印加することにより、図２に示すように、ノズル１はインク粒子を噴出する。噴出されたインク粒子は、飛行して搬送ラインのベルト２に載って流れる被印字物３に印字される。ノズル１よりインク粒子を噴出するタイミングは印字物検出センサー４および印字物検知部５により制御される。インク粒子が帯電電極６はノズル１の直ぐ先に備えられ、ノズル１から噴出したインク粒子に電荷を帯びさせる。帯電電極６に印加される電圧は文字信号発生部７によって印字内容に応じて調整される。電荷を帯びたインク粒子は帯電電極６の直ぐ先に備えられる偏向電極８でインク粒子毎に飛行方向が偏向されるので、被印字物３にインク粒子の文字ないし記号等が印字されるのである。
【００１１】
ノズル１にはインク容器９内のインクがインク供給管１０を通じて供給ポンプ２０により送られるのである。ノズル１から噴出されたインク粒子で印字に使われないものは、ガター２１に受けられ、回収管２２を通じて回収ポンプ２３によりインク容器９に戻されるのである。
【００１２】
図１に示すように、印字物検知部５、文字信号発生部７、入力部４０、表示部５０、印字内容反映部６０は制御部３０に接続される。入力部４０においてオペレータの所望する印字内容を入力し、制御部３０にて一時保持する。また、入力内容の確認のため、表示部５０にて入力内容を表示する。印字内容を印字内容反映部６０によりインク粒子毎のデータに変換、印字内容記憶部６１に保持する。印字内容記憶部６１は文字信号発生部７と接続している。
【００１３】
印字物検知部５から被印字物３の到来の信号が制御部３０に入ると、制御部３０は文字信号発生部７に対して印字を指示する。文字信号発生部７は印字内容記憶部６１の印字データに基づいて帯電電極６の印加電圧を加減する。こうして上記の如くインク粒子が飛行、偏向し印字が行われるのである。
【００１４】
また、インクジェット記録装置の制御部３０のうち、ＲＯＭ３２はインクジェット記録装置の制御を行う制御プログラムを格納する。ＣＰＵ３１は制御プログラムを実行し、インクジェット記録装置の各種機器の動作を制御する。ＲＡＭ３３は制御プログラム実行時、一時的に使用するデータを保持する。ＥＥＰＲＯＭ３４は不揮発性の記録媒体であり、文字、記号等の印字パターンを記録する。また、ＲＴＣ３５とは時計の機能を持つＬＳＩであり、インクジェット記録装置で日時に関する印字を行う際の基準の時計となる。
【００１５】
図３は置き換え規則設定画面の一例である。本実施例では「日」に対し置き換えて表示するデータをアルファベットとして設定している。左側の数値が日、右側括弧内アルファベットが、日の値に対して置き換えて表示するデータである。
【００１６】
図４は印字内容表示画面の一例である。画面最上部に表示されている日時４０１は、インクジェット記録装置内部に存在するＲＴＣ３５の現在日時情報をそのまま表示している。本実施例では現在日時は２００６年３月１３日１８時３１分８秒としている。また、印字内容４０２に「年、月、日、時、分、秒」を設定している。「年、月、時、分、秒」は現在日時そのまま、「日」については現在日時を基に置き換えを行っている。図３の置き換え規則設定画面によると、１３日に該当する置き換えデータは「ＷＡ」となる。これら設定した印字内容を実際に印字するイメージで表示したのが、画面下部の印字レイアウト４０３である。
【００１７】
置き換え規則を設定した際、その設定したデータが数値(日時)に正しく設定しているか確認するには、実際に日付、時刻を変えて表示されるデータが妥当なものか調べる必要があった。
【００１８】
図５は印字内容表示画面に日時設定機能５０１を付加した画面の一例であり、これが印字内容画面と日時設定画面を同一画面に収めたものである。日時設定機能５０１はテスト時計選択５０２にて稼動を選択した場合有効となる。テスト時計を稼動状態にすると、テスト時計稼動開始直後にＲＴＣ３５から最新の現在日時を取得し、それ以降ＲＴＣ３５からの日時取得を停止する。
【００１９】
画面下部の日時設定機能５０１にて日の数値を増加キー５０７、減少キー５０８を用いて変化させることで、印字内容表示画面４０３の日時情報が変化する。本実施例では「日」の値を２２に変更している。図３置き換え規則設定画面の２２日に対する置き換えデータは「ＦＣ」であり、印字レイアウト４０３の「日」に該当する部分に「ＦＣ」と表示される。この「ＦＣ」が妥当な印字内容か確認するには、図３置き換え規則設定画面で設定する根拠としたデータと照合すればよい。これにより、日付、時刻を変化させながら置き換え規則を参照することが可能となり、全置き換え規則の妥当性チェックが容易に行えるようになる。
【００２０】
また、置き換え規則確認作業をさらに容易にするため、任意の時間間隔で日付、時刻を変化させていく機能も考えられる。例えば、５秒間隔で「日」の値を１ずつ加算していくことにより、オペレータは増加キー５０７、減少キー５０８を操作することなく、置き換え規則の確認作業を行えることになる。
【００２１】
あるいは、置き換え規則が変化するまで日付、時刻を自動的に更新する方法もある。この方法では、置き換え規則の変化が発見できずに日付、時刻の上限値を超えた場合、値を下限値に設定し更新を継続する。逆に日付、時刻の下限値を超えた場合値を上限値に設定し更新を継続する。さらに置き換え規則の変化が発見できず、数値が自動更新開始値に戻った場合更新を停止する。これは、数値に対する置き換え情報が少ないときに特に有効である。
【００２２】
例えば、「時」の置き換え規則で、００から１１までの置き換えを「ＡＭ」、１２から２３までの置き換えを「ＰＭ」とする場合、最初００の置き換え規則を確認する。次に置き換え規則が変化する数値まで「時」を１ずつ自動加算する。ここで時が１２になったとき置き換えが「ＡＭ」から「ＰＭ」に変化するため、自動加算を停止する。ここで印字レイアウト４０３に「ＰＭ」が表示されることになる。これにより、００から１１までが「ＡＭ」であること、および１２が「ＰＭ」であることが確認できる。自動加算を再開すると「時」が上限値２３を超え０に戻る。ここで置き換えが「ＰＭ」から「ＡＭ」に変化するため、自動加算を停止し、印字レイアウト４０３「ＡＭ」が表示される。これにより１２から２３までが「ＰＭ」であることを確認できる。これにより本来、２４すべての置き換えを確認しなければならないところを、置き換え規則の変化点２箇所を確認することにより２４すべての置き換えを確認できることとなる。置き換え確認作業の低減に極めて有効な方式である。
【００２３】
日時設定機能５０１で設定した日時については、ＲＴＣ３５に反映せず、また印字にも反映しない。これは、日時情報設定機能５０１にて設定した日時を印字に反映してしまうと、印字中に置き換え規則確認ができなくなってしまうためである。
【００２４】
本実施例においては日に対する置き換え規則に対してのみ取り上げたが、年、月、時、分、秒に対しても日同様に日付、時刻変化による置き換え規則内容確認も行うことが可能である。
【００２５】
また、上記の実施形態ではコンティニュアス方式のインクジェット記録装置につき説明したが、ドロップ・オンデマンド方式のインクジェット記録装置でも同様に可能である。
【図面の簡単な説明】
【００２６】
【図１】本発明の一実施形態に係るインクジェット記録装置の全体ブロック図である。
【図２】本発明の一実施形態に係るインクジェット記録装置の主要部を示す概略図である。
【図３】本発明の一実施形態に係るもので、置き換え規則設定画面の一例である。
【図４】本発明の一実施形態に係るもので、印字内容表示画面の一例である。
【図５】本発明の一実施形態に係るもので、印字内容表示画面の一例である。
【符号の説明】
【００２７】
１…ノズル、２…ベルト、３…被印字物、５…印字物検知部、６…帯電電極、７…文字信号発生部、８…偏向電極、９…インク容器、１０…インク供給管、２０…供給ポンプ、２１…ガター、２２…回収管、２３…回収ポンプ、３０…制御部、３１…ＣＰＵ、３２…ＲＯＭ、３３…ＲＡＭ、３４…ＥＥＰＲＯＭ、３５…ＲＴＣ、４０…入力部、５０…表示部、６０…印字内容反映部、６１…印字内容記憶部、４０１…現在日時、４０２…印字内容、４０３…印字レイアウト、５０１…日時設定、５０２…テスト時計選択、５０３…年増加キー、５０４…年減少キー、５０５…月増加キー、５０６…月減少キー、５０７…日増加キー、５０８…日減少キー、５０９…時増加キー、５１０…時減少キー、５１１…分増加キー、５１２…分減少キー、５１３…秒増加キー、５１４…秒減少キー。
【図１】
2007313810.tif 000003
【図２】
2007313810.tif 000004
【図３】
2007313810.tif 000005
【図４】
2007313810.tif 000006
【図５】
2007313810.tif 000007